(57)【要約】【課題】より簡易な構成で風船に取り付け可能な逆止弁もしくは発光素子構造体、又は、より視覚効果の高い光る風船を提供すること。【解決手段】中空の円筒状の支持体と、前記支持体の先端開口部に取り付けられ、発光素子であるＬＥＤが複数収容された発光素子収容部と、前記支持体の内部を通り、先端部が前記発光素子に接続された所定数の配線コードと、前記配線コードの後端部が接続された電源付きスイッチとを備えている発光素子構造体及び、前記発光素子構造体が前記ガス吹き込み口に挿入され、前記ガス吹き込み口とその内部に収容されている前記支持体とが結着されてなる光る風船。【選択図】図３
2015100588.tif 000002
【特許請求の範囲】
【請求項１】
可撓性の膜体からなる風船本体が備える気体を吹き込むガス吹き込み口に挿入され、前記風船本体の内部に収容される発光素子構造体であって、
中空の円筒状の支持体と、
前記支持体の先端開口部に取り付けられ、所定数の発光素子が収容された発光素子収容部と、
前記支持体の内部を通り、先端部が前記発光素子に接続され、後端部が電源付きスイッチに接続されている所定数の配線コードとを備えている
ことを特徴とする発光素子構造体。
【請求項２】
請求項１記載の発光素子構造体の前記発光素子収容部及び前記支持体が前記ガス吹き込み口に挿入され、前記ガス吹き込み口とその内部に収容されている前記支持体とが結着されてなる
ことを特徴とする光る風船。
【請求項３】
可撓性の膜体からなる風船本体が備える気体を吹き込むガス吹き込み口に取り付けられる薄膜フィルムシートからなる筒状逆止弁であって、
前記筒状逆止弁は、前記風船本体の前記ガス吹き込み口を介して前記風船本体の内外に伸びていて、
前記風船本体の内側に伸びている先端側は、前記風船本体の外側に伸びている後端側よりも小径の小径部となっており、
前記小径部から前記後端側にかけてテーパー状に口径が拡大するテーパー部が形成されており、
前記後端側は、前記気体を吹き込むガス吹き込み口となっている
ことを特徴とする筒状逆止弁。
【請求項４】
前記風船本体の前記ガス吹き込み口の内周面と、前記筒状逆止弁の後端側の一部の外周面が溶着されてそれぞれの面に溶着部が形成され、
請求項１記載の発光素子構造体の前記発光素子収容部及び前記支持体が前記筒状逆止弁に挿入され、
前記発光素子収容部が前記テーパー部に位置してなる
ことを特徴とする請求項３記載の光る風船。
【請求項５】
接着部材を備え、風船本体の外周に取り付け、取り外し可能な支持片と、
前記支持片に連結され、前記風船本体の内部側に向かって光を照射する所定数の発光素子が収容された発光素子収容部と、
前記発光素子に先端部が接続され、後端部が電源付きスイッチに接続されている所定数の配線コードとを備えている
発光素子構造体。
【請求項６】
請求項５記載の発光素子構造体が、前記風船本体の外周に取り付けられてなる
光る風船。
【請求項７】
前記配線コードをこより状に束ねた
ことを特徴とする請求項１又は５の発光素子構造体。
【請求項８】
前記配線コードをこより状に束ねた
ことを特徴とする請求項２、４、６何れか一項記載の光る風船。
【発明の詳細な説明】
【技術分野】
【０００１】
この発明は、光る風船に関する。特に、風船に取り付け可能な発光素子構造体もしくは、この発光素子構造体を収容可能な筒状逆止弁、又はこれらを取り付けてなる光る風船に関する。
【背景技術】
【０００２】
販促やイベント等での宣伝効果を高めるため、従来から種々の提案がなされている。
【０００３】
特許文献１には、内部に発光体（電球や発光ダイオードなど）を収容した風船に関する考案が提案されており、風船を斬新でより一層興趣を増すものとすることができるとされている。
【０００４】
特許文献２には、簡単に気体を吹き込めるフィルム逆止弁および風船構造体に関する発明が提案されている。
【先行技術文献】
【特許文献】
【０００５】
【特許文献１】実開昭６３−１５６７００号公報
【特許文献２】特開２００９−２５０２６７号公報
【発明の概要】
【発明が解決しようとする課題】
【０００６】
この発明は、より簡易な構成で風船に取り付け可能な発光素子構造体もしくは、この発光素子構造体を収容可能な筒状逆止弁、又は、より視覚効果の高い光る風船を提供することを目的とする。
【課題を解決するための手段】
【０００７】
上記課題を解決するため、以下の発明を提案する。
【０００８】
請求項１の発明は、
可撓性の膜体からなる風船本体が備える気体を吹き込むガス吹き込み口に挿入され、前記風船本体の内部に収容される発光素子構造体であって、
中空の円筒状の支持体と、
前記支持体の先端開口部に取り付けられ、所定数の発光素子が収容された発光素子収容部と、
前記支持体の内部を通り、先端部が前記発光素子に接続され、後端部が電源付きスイッチに接続されている所定数の配線コードとを備えている
ことを特徴とする発光素子構造体である。
【０００９】
請求項２の発明は、
請求項１記載の発光素子構造体の前記発光素子収容部及び前記支持体が前記ガス吹き込み口に挿入され、前記ガス吹き込み口とその内部に収容されている前記支持体とが結着されてなる
ことを特徴とする光る風船である。
【００１０】
請求項３の発明は、
可撓性の膜体からなる風船本体が備える気体を吹き込むガス吹き込み口に取り付けられる薄膜フィルムシートからなる筒状逆止弁であって、
前記筒状逆止弁は、前記風船本体の前記ガス吹き込み口を介して前記風船本体の内外に伸びていて、
前記風船本体の内側に伸びている先端側は、前記風船本体の外側に伸びている後端側よりも小径の小径部となっており、
前記小径部から前記後端側にかけてテーパー状に口径が拡大するテーパー部が形成されており、
前記後端側は、前記気体を吹き込むガス吹き込み口となっている
ことを特徴とする筒状逆止弁である。
【００１１】
請求項４の発明は、
前記風船本体の前記ガス吹き込み口の内周面と、前記筒状逆止弁の後端側の一部の外周面が溶着されてそれぞれの面に溶着部が形成され、
請求項１記載の発光素子構造体の前記発光素子収容部及び前記支持体が前記筒状逆止弁に挿入され、
前記発光素子収容部が前記テーパー部に位置してなる
ことを特徴とする請求項３記載の光る風船である。
【００１２】
請求項５の発明は、
接着部材を備え、風船本体の外周に取り付け、取り外し可能な支持片と、
前記支持片に連結され、前記風船本体の内部側に向かって光を照射する所定数の発光素子が収容された発光素子収容部と、
前記発光素子に先端部が接続され、後端部が電源付きスイッチに接続されている所定数の配線コードとを備えている
発光素子構造体。
【００１３】
請求項６の発明は、
請求項５記載の発光素子構造体が、前記風船本体の外周に取り付けられてなる
光る風船である。
【００１４】
請求項７の発明は、
前記配線コードをこより状に束ねた
ことを特徴とする請求項１又は５の発光素子構造体である。
【００１５】
請求項８の発明は、
前記配線コードをこより状に束ねた
ことを特徴とする請求項２、４、６何れか一項記載の光る風船である。
【発明の効果】
【００１６】
この発明によれば、より簡易な構成で風船に取り付け可能な発光素子構造体もしくは、この発光素子構造体を収容可能な筒状逆止弁、又は、より視覚効果の高い光る風船を提供することができる。
【図面の簡単な説明】
【００１７】
【図１】本発明の発光素子構造体の一例を表す図であって、（ａ）全体を表した図、（ｂ）断面図である。
【図２】図１図示の発光素子構造体を風船本体に取り付けた光る風船の一部を省略した拡大図である。
【図３】図１図示の発光素子構造体を風船本体に取り付けた光る風船の全体を表した図である。
【図４】本発明の筒状逆止弁の一例を表す図であって、（ａ）ガスを注入する前の偏平状態、（ｂ）ガスを注入する際に筒状に変形した状態、（ｃ）筒状逆止弁に図１図示の発光素子構造体を挿入した状態の断面図である。
【図５】図４図示の筒状逆止弁を風船本体に取り付けた光る風船の一部を省略した拡大図である。
【図６】図４図示の筒状逆止弁を風船本体に取り付けた光る風船の全体を表す図である。
【図７】本発明の発光素子構造体の他の例を表す図であって、（ａ）一部を省略した平面図、（ｂ）全体を表した斜視図である。
【図８】図７図示の発光素子構造体を風船本体に取り付けた光る風船の全体を表す図である。
【発明を実施するための形態】
【００１８】
以下、添付図面を参照して本発明の実施形態を説明する。
【００１９】
（第一の実施形態）
図１乃至図３は本発明の発光素子構造体及びこれを備えてなる光る風船の一例を表している。
【００２０】
（１）発光素子構造体
この実施形態の発光素子構造体１は、可撓性の膜体からなる風船本体が備える水素、ヘリウムガス等の気体を吹き込むガス吹き込み口に挿入され、前記風船本体の内部に収容されるものである。
【００２１】
発光素子構造体１は、図１図示のように、中空の筒状の支持体４と、支持体４の先端開口部４ａに取り付けられ、所定数の発光素子３が収容された発光素子収容部２と、支持体４の内部を通り、先端部が発光素子３に接続され、後端部が電源付きスイッチ６に接続されている所定数の配線コード５とを備えている（図１）。
【００２２】
発光素子収容部２は、発光素子３を収容できる態様であれば、有底の円筒型、角筒型等種々の形状で成型することができる。この実施形態では有底で円筒型の発光素子収容部２とした。
【００２３】
また、支持体４は内部が中空で筒状であれば、円筒型、角筒型等種々の形状で成型することができる。本実施形態では円筒型とした。
【００２４】
発光素子収容部２を支持体４で支持できる態様であれば、発光素子収容部２及び支持体４を一体成型してもよい。
【００２５】
発光素子３は、白熱電球やＬＥＤ等種々の規格の発光素子を使用することができる。この実施形態では、後述する光る風船の視覚効果を高めるためＬＥＤを使用した。
【００２６】
使用する発光素子３の数に制限はないが、ＬＥＤを使用する場合、微小なＬＥＤをそれぞれが向く方向を相違させて複数個を発光素子収容部２に配備することができる。
【００２７】
配線コード５は、図１図示のように、極めて細いコードが２本使用されており、発光素子収容部２の底を通過した先端が発光素子３に接続され、その他の部分が支持体４の内部に覆われ、更に、支持体４の後端開口部４ｂから外に出て伸びて、後端部が電源付きスイッチ６に接続されている。
【００２８】
配線コード５の後端部は電源付きスイッチ６と接続されている。そして、配線コード５の先端側が接続されている発光素子３を収容している発光素子収容部２を備えている発光素子構造体１は、風船本体の内部に収容される。そこで、配線コード５は、前記風船本体と電源付きスイッチ６とをつなぐ紐の役割を果たす。
【００２９】
電源付きスイッチ６に必要な電源は、交換可能な乾電池を使用することができる。発光素子３の発光を長期にわたって持続させることができれば、乾電池に限られず、種々の電源を使用することができる。
【００３０】
後述するように、発光素子構造体１が前記風船本体の内部に収容された状態で、配線コード５の後端部又は電源付きスイッチ６を手で握ることができる。
【００３１】
この実施形態では、２本の配線コード５をこより状に束ねている。配線コード５の後端部又は電源付きスイッチ６を手で握る際に、前記風船本体と電源スイッチ６とをつなぐ紐としての強度を高めるためである。
【００３２】
（２）光る風船
この実施形態の光る風船７は、上述した発光素子構造体１が可撓性の膜体からなる風船本体８の内部に収容されてなるものである。
【００３３】
前記可撓性の膜体は合成ゴム製、天然ゴム製又はフィルム状の合成樹脂製、等であって、透光性又は半透光性を有するものが好ましい。風船本体８の内部で発光する発光素子構造体１による光る風船７の視覚効果を高めるためである。本実施形態では透光性を有する合成ゴムの膜体からなる風船本体８を用いた。
【００３４】
光る風船７は、図２図示のように、風船本体８が備える水素、ヘリウムガス等の気体を吹き込むガス吹き込み口９に発光素子構造体１の発光素子収容部２及び支持体４が挿入され、ガス吹き込み口９とその内部に収容されている支持体４とがクリップや輪ゴム等の留め具１０で結着されてなる構造となっている。
【００３５】
発光素子構造体１の発光素子収容部２及び支持体４は、図２図示のように、ガス吹き込み口９が広げられた状態で挿入され、発光素子収容部２、発光素子３、及び支持体４の一部がガス吹き込み口９近傍に収容される。
【００３６】
この状態で、矢印の方向からガス吹き込み口９に水素、ヘリウムガス等の気体を吹き込み、風船本体８の内部に前記気体を充填し、風船本体８を膨らませる。
【００３７】
所定の大きさまで風船本体８を膨らませた後、ガス吹き込み口９とその内部に収容されている支持体４をクリップや輪ゴム等の留め具１０で結着する（図３）。
【００３８】
図３は、このように構成した光る風船７を表す図である。配線コード５の後端部は電源付きスイッチ６と接続されているので、配線コード５の後端部又は電源付きスイッチ６を手で握ることができる。そして、配線コード５の後端部又は電源付きスイッチ６を手で握った状態で、風船本体８が浮かぶことになる。
【００３９】
なお、風船本体８が浮かぶためには、風船本体８の重量及び、支持体４、発光素子３、発光素子収容部２の重量、配線コード５の重量を、風船本体８内に封入された水素、ヘリウムガス等の気体による浮力より小さくする必要がある。
【００４０】
この実施形態では、上記の重量及び浮力を以下のように設定して、風船本体８を浮かせた
・風船本体８（合成ゴムの膜体からなる風船本体）の重量：８ｇ
・支持体４、発光素子３、発光素子収容部２の重量、配線コード５の重量：３〜４ｇ
・水素、ヘリウムガス等の気体による浮力：１５ｇ
【００４１】
電源付きスイッチ６を手で握りスイッチをＯＮにすると発光素子３が発光する。風船本体８は透光性を有する合成ゴムの膜体からなり、発光素子３は、風船本体８の内部に収容されているので、前記発光によって風船本体８の内部から光が照射されていることになる（図３）。
【００４２】
そこで、光る風船７を外部から見ると、風船本体８全体が明るく光っている状態となっている。
【００４３】
特に、この実施形態では発光素子３をＬＥＤとしており、ガス吹き込み口９近傍で発光素子３が発光し、３６０度の領域に光が照射されるので、光る風船７を外部から見ると、風船本体８の内部全体が明るく光って見える状態となる。
【００４４】
この実施形態では、上述したように、配線コード５は、風船本体８と電源付きスイッチ６とをつなぐ紐の役割を果たす。しかも極めて細いコードでつないでいるので、光る風船７を外部から見ると、配線コード５がなく、光る風船本体８が浮かんでいるように見える視覚的効果が期待できる。
【００４５】
この実施形態では、２本の配線コード５をこより状にすることにより、配線コード５の後端部又は電源付きスイッチ６を手で握る際に、風船本体８と電源スイッチ６とをつなぐ紐としての強度を高めることができる。
【００４６】
この実施形態では、支持体４に発光素子収容部２が支持されているので、発光素子３を安定して支持させることができると共に、風船本体８の内部に前記気体が充填され、膨らんだ状態で支持体４を手で握ることもでき、持ちやすい状態とすることができる。
【００４７】
このように、この実施形態の発光素子構造体は、より簡易な構成で風船本体の内部に収容させることができるものであり、この発光素子構造体を備えてなる光る風船は、光る風船としてより視覚的効果を発揮できるものである。
【００４８】
（第二の実施形態）
図４乃至図６は本発明の筒状逆止弁及びこれを備えてなる光る風船の一例を表している。本実施形態において、上述の実施形態と共通する部分には同じ符号を付し、その説明を省略する。
【００４９】
（１）筒状逆止弁
この実施形態の筒状逆止弁１１は、可撓性の膜体からなる風船本体が備える水素、ヘリウムガス等の気体を吹き込むガス吹き込み口に取り付けられるものである。
【００５０】
筒状逆止弁１１は、薄膜フィルムシートからなり、前記風船本体の前記ガス吹き込み口を介して前記風船本体の内外に伸びている。また、中空の円筒形状で、前記風船本体の内側に伸びている側を筒状逆止弁１１の先端側１２とし、外側に伸びている側を後端側１３として図４に示した。
【００５１】
図４図示のように、筒状逆止弁１１の先端側１２は、後端側１３よりも小径となるように小径部１２ａが形成されている。小径部１２ａは、後述する風船本体の内部に収容される部分である。
【００５２】
また、筒状逆止弁１１には、小径部１２ａから後端側１３にかけてテーパー状に口径が拡大するテーパー部２６が形成されている。
【００５３】
後述するように、前記ガス吹き込み口に筒状逆止弁１１が取り付けられた後、筒状逆止弁１１の後端側１３は、図４（ａ）、（ｂ）図示のように、前記風船本体に水素、ヘリウムガス等の気体を吹き込むためのガス吹き込み口１６となっている。
【００５４】
図４（ｃ）は、筒状逆止弁１１に上述した発光素子構造体１を挿入した状態の断面図である。図示の形態では、発光素子構造体１の発光素子収容部２及び支持体４が後端側１３から筒状逆止弁１１に挿入されている。
【００５５】
筒状逆止弁１１にはテーパー部２６が形成されているので、発光素子構造体１の発光素子収容部２はテーパー部２６の位置に止まり、小径部１２ａの方向まで挿し込まれることはない。
【００５６】
このテーパー部２６が形成されるものであれば、筒状逆止弁１１を円筒型の他、角筒型等種々の形状で成型することができる。この実施形態では、円筒型の筒状逆止弁とした。
【００５７】
（２）光る風船
この実施形態の光る風船１４は、上述した筒状逆止弁１１が風船本体１５のガス吹き込み口１５ａに取り付けられ、筒状逆止弁１１に発光素子構造体１が挿入されてなるものである。
【００５８】
この実施形態では、透光性を有する合成樹脂製のフィルムの膜体からなる風船本体１５を用いた。
【００５９】
光る風船１４は、図５図示のように、風船本体１５のガス吹き込み口１５ａの内周面１５ｂと、筒状逆止弁１１の後端側１３の一部の外周面１７が溶着され、筒状逆止弁１１に発光素子構造体１の発光素子収容部２及び支持体４が挿入され、発光素子収容部２がテーパー部２６に位置してなる構造となっている。
【００６０】
ガス吹き込み口１５ａの内周面１５ｂと筒状逆止弁１１の後端側１３の一部の外周面１７が溶着されることで、溶着される内周面１５ｂと外周面１７は溶着部１８となる。
【００６１】
この溶着部１８により、風船本体１５内に封入された水素、ヘリウムガス等の気体が、風船本体１５のガス吹き込み口１５ａの内周面１５ｂと、筒状逆止弁１１の後端側１３の一部の外周面１７との間から外部に漏れることはない。
【００６２】
溶着部１８が形成されると、筒状逆止弁１１の小径部１２ａ、テーパー部２６及び後端側１３の一部が風船本体１５の内部に収容された状態となる。
【００６３】
この状態で、矢印の方向から筒状逆止弁１１のガス吹き込み口１６に水素、ヘリウムガス等の気体を吹き込み、風船本体１５の内部に前記気体を充填し、風船本体１５を膨らませる。
【００６４】
所定の大きさまで風船本体１５を膨らませた後、前記気体の吹き込みを中止すると、前記風船本体１５の内部の水素、ヘリウムガス等の気体の圧力によって筒状逆止弁１１の先端側１２が密閉、閉鎖される。そのため、筒状逆止弁１１を介して、風船本体１５の内部から外部に向かって前記気体が漏れることはない。
【００６５】
発光素子構造体１の発光素子収容部２及び支持体４は矢印の方向から筒状逆止弁１１の内部に挿入される。筒状逆止弁１１にはテーパー部２６が形成されているので、発光素子構造体１の発光素子収容部２はテーパー部２６の位置に止まり、小径部１２ａの方向まで挿し込まれることはない。そのため、発光素子収容部２は安定して支持体４に支持されることになる。
【００６６】
なお、溶着部１８により、風船本体１５内に封入された水素、ヘリウムガス等の気体が、風船本体１５のガス吹き込み口１５ａの内周面１５ｂと、筒状逆止弁１１の後端側１３の一部の外周面１７との間から外部に漏れることはないが、風船本体１５の風船本体のガス吹き込み口１５ａ及び、筒状逆止弁１１の後端側１３を、図示していないクリップや輪ゴム等の留め具１０によって支持体４に固定してもよい。
【００６７】
図６は、このように構成した光る風船１４を表す図である。配線コード５の後端部は電源付きスイッチ６と接続されているので、配線コード５の後端部又は電源付きスイッチ６を手で握ることができる。そして、配線コード５の後端部又は電源付きスイッチ６を手で握った状態で、風船本体１５が浮かぶことになる。
【００６８】
なお、この実施形態では、風船本体１５の重量及び、支持体４、発光素子３、発光素子収容部２の重量、配線コード５の重量を、風船本体１５内に封入された水素、ヘリウムガス等の気体による浮力を以下のように設定して、風船本体１５を浮かせた
・風船本体１５（フィルムの膜体からなる風船本体）の重量：８ｇ
・支持体４、発光素子３、発光素子収容部２の重量、配線コード５の重量：３〜４ｇ
・水素、ヘリウムガス等の気体による浮力：１５ｇ
【００６９】
電源付きスイッチ６を手で握りスイッチをＯＮにすると発光素子３が発光する。風船本体１５は透光性を有するフィルムの膜体からなり、発光素子３は、風船本体１５の内部に収容されているので、前記発光によって風船本体１５の内部から光が照射されていることになる（図６）。
【００７０】
そこで、光る風船１４を外部から見ると、風船本体１５全体が明るく光っている状態となっている。
【００７１】
特に、この実施形態では発光素子３をＬＥＤとしており、ガス吹き込み口１５ａ近傍で発光素子３が発光し、３６０度の領域に光が照射されるので、光る風船１４を外部から見ると、風船本体１５の内部全体が明るく光って見える状態となる。
【００７２】
この実施形態では、配線コード５は、風船本体１５と電源付きスイッチ６とをつなぐ紐の役割を果たす。しかも極めて細いコードでつないでいるので、光る風船１４を外部から見ると、配線コード５がなく、光る風船本体１５が浮かんでいるように見える視覚的効果が期待できる。
【００７３】
この実施形態では、２本の配線コード５をこより状にすることにより、配線コード５の後端部又は電源付きスイッチ６を手で握る際に、風船本体１５と電源スイッチ６とをつなぐ紐としての強度を高めることができる。
【００７４】
この実施形態では、発光素子構造体１の発光素子収容部２はテーパー部２６に位置し、支持体４に安定して支持されているので、風船本体１５の内部に前記気体が充填され、膨らんだ状態で支持体４を手で握ることもでき、持ちやすい状態とすることができる。
【００７５】
この実施形態では、透光性を有するフィルムの膜体からなる風船本体１５を用いている。このような風船本体１５の場合、封入された水素、ヘリウムガス等の気体によって３〜４週間浮かんだ状態を維持することができる。
【００７６】
発光素子収容部２を、発光素子３を収容できる態様であって、なおかつ、内部が中空で筒状である支持体４の先端開口部４ａが臨む透孔を備えている態様にしておけば、前記気体が風船本体１５から抜けて浮力が小さくなってきても、内部が中空で筒状である支持体４を介して水素、ヘリウムガス等の気体を再度吹き込むことができる。これによって、光る風船１４を長期にわたって使用することができる。
【００７７】
すなわち、内部が中空で筒状である支持体４を介して水素、ヘリウムガス等の気体を再度吹き込むと、筒状逆止弁１１の先端側１２の密閉・閉鎖状態が解放され、ここを介して、風船本体１５内に水素、ヘリウムガス等の気体を吹き込むことができる。
【００７８】
そして、再度、所定の大きさまで風船本体１５が膨らんだ後、前記気体の吹き込みを中止すると、前記風船本体１５の内部の水素、ヘリウムガス等の気体の圧力によって筒状逆止弁１１の先端側１２が密閉、閉鎖される。これにより、発光素子３を収容できる態様であって、なおかつ、内部が中空で筒状である支持体４の先端開口部４ａが臨む透孔を備えている発光素子収容部２と、内部が中空で筒状である支持体４とを介して、風船本体１５の内部から外部に向かって前記気体が漏れることはない。
【００７９】
こうして、前記気体が風船本体１５から抜けて浮力が小さくなってきても、内部が中空で筒状である支持体４を介して、水素、ヘリウムガス等の気体を再度吹き込むことができるので、光る風船１４を長期にわたって使用することができる。
【００８０】
このように、この実施形態の筒状逆止弁は、より簡易な構成で風船本体の内部に取り付けることができるものであり、この筒状逆止弁及びこれに挿入されて保持される前記発光素子構造体を備えてなる光る風船は、光る風船としてより視覚的効果を発揮できるものである。
【００８１】
（第三の実施形態）
図７、図８は本発明の発光素子構造体の他の例及びこれを備えてなる光る風船の一例を表している。本実施形態において、上述の実施形態と共通する部分には同じ符号を付し、その説明を省略する。
【００８２】
（１）発光素子構造体
この実施形態の発光素子構造体１９は、膨らませた風船本体の外周の任意の位置に取り付け、取り外し可能なものである。
【００８３】
発光素子構造体１９は、図７図示のように、接着部材２３を備え、風船本体の外周に取り付け、取り外し可能な支持片２０と、支持片２０に連結され、前記風船本体の内部側に向かって光を照射する所定数の発光素子３が収容された発光素子収容部２１と、発光素子３に先端部が接続され、後端部が電源付きスイッチ６に接続されている所定数の配線コード５とを備えている。
【００８４】
支持片２０は、風船本体の外周に取り付け、取り外し可能な態様であれば種々の形状を使用することができる。この実施形態では、図７図示のように円板型とし、風船本体の外周に取り付ける面に粘着テープ等の粘着性の弱い粘着部材２３を備える構成とした。
【００８５】
発光素子収容部２１は、連結片２２、２２を介して支持片２０と連結されている。
【００８６】
発光素子収容部２１には、支持片２０が前記風船本体の外周に取り付けられたときに、前記風船本体の内部側に向かって光を照射する所定数の発光素子３が収容されている。
【００８７】
発光素子収容部２１は、支持片２０が前記風船本体の外周に取り付けられたときに、前記風船本体の内部側に向かって光を照射する発光素子３を収容できるものであれば種々の形状を使用することができる。この実施形態では、図７図示のように有底の円筒型とした。
【００８８】
発光素子収容部２１に収容する発光素子３は、上述した各実施形態と同様でＬＥＤを使用した。また、使用する発光素子３の数も特に限定はない。
【００８９】
発光素子収容部２１の外周壁の一部は、発光素子３に先端部が接続された２本の配線コード５を発光素子収容部２１の外側へ通すための切欠部２１ａが設けられている。切欠部２１ａを通り、発光素子収容部２１の外側へ伸びている配線コード５の後端側は電源付きスイッチ６に接続されている。
【００９０】
（２）光る風船
この実施形態の光る風船２４は、上述した発光素子構造体１９が可撓性の膜体からなる風船本体２５の外周に取り付けられてなるものである。
【００９１】
前記可撓性の膜体は合成ゴム製、天然ゴム製又はフィルム状の合成樹脂製、等であって、透光性又は半透光性を有するものが好ましい。風船本体２５の外周で発光する発光素子構造体１９による光る風船２４の視覚効果を高めるためである。
【００９２】
光る風船２４は、図８図示のように、水素、ヘリウムガス等の気体で膨らませた風船本体２５の外周の任意の位置に、発光素子構造体１９の支持片２０が接着部材２３によって取り付け、取り外し可能な構造となっている。
【００９３】
発光素子収容部２１の切欠部２１ａから発光素子収容部２１の外側に向けて配線コード５が伸びており、その後端側が電源付きスイッチ６と接続されている。そのため、配線コード５の後端部又は電源付きスイッチ６を手で握ることができる。
【００９４】
図示の状態で電源付きスイッチ６を手で握り、スイッチをＯＮにすると発光素子３が発光する。発光素子収容部２１に収容されている発光素子３は、支持片２０が風船本体２５の外周に取り付けられたときに、風船本体２５の内部側に向かって光を照射する配置になっている。そこで、発光素子３からは風船本体２５の内部側に向かって光が照射される（図８）。
【００９５】
本実施形態では、風船本体２５が透光性又は半透光性を有する合成ゴム製、天然ゴム製又はフィルム状の合成樹脂製、脂等の膜体からなるので、風船本体２５の内部側に向かって光が照射されると、風船本体２５全体が明るく光っている状態となる。
【００９６】
この実施形態でも、風船本体２５の重量及び、発光素子構造体１９の重量、配線コード５の重量と、風船本体２５内に封入された水素、ヘリウムガス等の気体による浮力との関係を考慮して風船本体２５を浮かせることになる。
【００９７】
この実施形態でも、配線コード５は、風船本体２５と電源付きスイッチ６とをつなぐ紐の役割を果たす。しかも極めて細いコードでつないでいるので、光る風船２４を外部から見ると、配線コード５がなく、光る風船本体２５が浮かんでいるように見える視覚的効果が期待できる。
【００９８】
この実施形態でも、２本の配線コード５をこより状にすることにより、配線コード５の後端部又は電源付きスイッチ６を手で握る際に、風船本体２５と電源スイッチ６とをつなぐ紐としての強度を高めることができる。
【００９９】
このように、この実施形態の発光素子構造体は、より簡易な構成で容易に風船本体の外周に取り付け、取り外しができるものであり、この発光素子構造体を備えてなる光る風船は、光る風船としてより視覚的効果を発揮できるものである。
【０１００】
以上、添付図面を参照して本発明の好ましい実施形態を説明したが、本発明はかかる実施形態に限定されること無く、特許請求の範囲の記載から把握される技術的範囲において種々に変更可能である。
【符号の説明】
【０１０１】
１  発光素子構造体
２  発光素子収容部
３  発光素子
４  支持体
４ａ  支持体４の先端開口部
４ｂ  支持体４の後端開口部
５  配線コード
６  電源付きスイッチ
７  光る風船
８  風船本体
９  ガス吹き込み口
１０  留め具
１１  筒状逆止弁
１２  先端側
１２ａ  小径部
１３  後端側
１３ａ  大径部
１４  光る風船
１５  風船本体
１５ａ  風船本体のガス吹き込み口
１５ｂ  ガス吹き込み口の内周面
１６  筒状逆止弁のガス吹き込み口
１７  筒状逆止弁の外周面
１８  溶着部
１９  発光素子構造体
２０  支持片
２１  発光素子収容部
２１ａ  切欠部
２２  連結片
２３  接着部材
２４  光る風船
２５  風船本体
２６  テーパー部
【図１】
2015100588.tif 000003
【図２】
2015100588.tif 000004
【図３】
2015100588.tif 000005
【図４】
2015100588.tif 000006
【図５】
2015100588.tif 000007
【図６】
2015100588.tif 000008
【図７】
2015100588.tif 000009
【図８】
2015100588.tif 000010
【手続補正書】
【提出日】平成25年12月2日(2013.12.2)
【手続補正１】
【補正対象書類名】図面
【補正対象項目名】全図
【補正方法】変更
【補正の内容】
【図１】
2015100588.tif 000011
【図２】
2015100588.tif 000012
【図３】
2015100588.tif 000013
【図４】
2015100588.tif 000014
【図５】
2015100588.tif 000015
【図６】
2015100588.tif 000016
【図７】
2015100588.tif 000017
【図８】
2015100588.tif 000018